【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
データフレームにおける外符号、およびデータフレームの高優先度のセグメントにおける内符号を計算するための符号器を含む装置。
【請求項２】
データフレームを送信するための送信機をさらに含む請求項１記載の装置。
【請求項３】
送信フレームに応答してメッセージを受信するための受信機をさらに含む請求項１記載の装置。
【請求項４】
メッセージが、送信フレームのセグメントの1つ以上の有効な受信を示す請求項３記載の装置。
【請求項５】
メッセージが、送信フレームのセグメントの１つ以上の無効の受信を示す請求項３記載の装置。
【請求項６】
データフレームと関係付けられる外符号を復号し、外復号が、フレームが少なくとも１つの誤りを含むことを示すとき、データフレームの高優先度のセグメントの内符号を復号するための復号器を含む装置。
【請求項７】
データフレームを受信するための受信機をさらに含む請求項６記載の装置。
【請求項８】
受信フレームに応答してメッセージを送信するための送信機をさらに含む請求項６記載の装置。
【請求項９】
メッセージが、受信フレームのセグメントの１つ以上の有効な受信を示す請求項８記載の装置。
【請求項１０】
メッセージが、受信フレームのセグメントの１つ以上の無効の受信を示す請求項８記載の装置。
【請求項１１】
データを受信し、そのセグメントが１つ以上の優先度レベルを割り当てられていて、
フレームのセグメントの内符号を識別する１つ以上のビットを含むヘッダを生成し、
より高い優先度のセグメントを１つ以上の内符号で符号化し、
ヘッダ、データ、および内符号化を外符号で符号化し、
ヘッダ、データ、内符号化、および外符号化を含むフレームを生成するためのフレームプロセッサを含む装置。
【請求項１２】
そこで関係付けられる複数のフレームタイプ、符号パラメータ、およびヘッダ情報を記憶するためのフレームフォーマットデータベースであって、符号化およびヘッダ生成に使用するためのフレームプロセッサによってアクセス可能なフレームフォーマットデータベースをさらに含む請求項１１記載の装置。
【請求項１３】
受信データが、一次トラヒック、二次トラヒック、またはシグナリングトラヒックの１つ以上のセグメントを含む請求項１１記載の装置。
【請求項１４】
フレームプロセッサが、さらに加えて、ヘッダを内符号で符号化する請求項１１記載の装置。
【請求項１５】
受信フレームのセグメントの内符号のヘッダを識別し、
受信フレームの外符号を復号して、フレーム内の１つ以上の誤りを検出し、
外復号がフレーム内の１つ以上の誤りを検出したとき、フレームのセグメントの内符号を復号するためのフレームプロセッサを含む装置。
【請求項１６】
そこで関係付けられる複数のフレームタイプ、符号パラメータ、およびヘッダ情報を記憶するためのフレームフォーマットデータベースであって、内符号化されたセグメントの位置を特定し、復号するのに使用するためのフレームプロセッサによってアクセス可能なフレームフォーマットデータベースをさらに含む請求項１５記載の装置。
【請求項１７】
データフレームにおける外符号、およびデータフレームの高優先度のセグメントにおける内符号を計算するための符号器を含む無線通信装置。
【請求項１８】
データフレームと関係付けられる外符号を復号し、外復号が、フレームが少なくとも１つの誤りを含むことを示すとき、データフレームの高優先度のセグメントの内符号を復号するための復号器を含む無線通信装置。
【請求項１９】
送信するためのデータフレームを準備する方法であって、そのセグメントが１つ以上の優先度レベルを割り当てられ、
フレーム内のセグメントの１つ以上の優先度レベルにしたがってフレームタイプを判断することと、
フレームが２つ以上の優先度レベルのセグメントを含むとき、より高い優先度レベルを割り当てられたセグメントに対して内符号化を行うことと、
フレームタイプと関係付けられるデータ、内符号化、およびヘッダに対して外符号化を行うことと、
ヘッダ、データ、内符号化、および外符号化を含むフレームを形成することとを含む方法。
【請求項２０】
フレームフォーマットデータベースにアクセスして、フレームタイプおよび符号化パラメータを検索することをさらに含む請求項１９記載の方法。
【請求項２１】
ヘッダを内符号化することをさらに含み、その結果が外符号化に含まれる請求項１９記載の方法。
【請求項２２】
受信データフレームを処理する方法であって、
フレームのセグメントの内符号を識別するヘッダを生成することと、
フレームの外符号を復号し、フレーム内の1つ以上の誤りを検出することと、
外復号がフレーム内の１つ以上の誤りを検出したとき、フレームのセグメントの内符号を復号することとを含む方法。
【請求項２３】
外復号が誤りなく復号するとき、フレームのデータセグメントの全てを送ることをさらに含む請求項２２記載の方法。
【請求項２４】
内復号が誤りなく復号するとき、フレームのセグメントを送ることをさらに含む請求項２２記載の方法。
【請求項２５】
フレームヘッダにしたがって、内符号化されたデータの位置および継続期間を判断することをさらに含む請求項２２記載の方法。
【請求項２６】
内符号化されたデータの位置および継続期間を判断することが、フレームフォーマットデータベースにアクセスすることを含む請求項２５記載の方法。
【請求項２７】
外復号が、１つ以上の誤りを検出し、ヘッダによって識別されるセグメントの内復号が、１つ以上の誤りと共に復号するとき、全ての可能な内符号化されたセグメントを走査することをさらに含む請求項２２記載の方法。
【請求項２８】
位置を特定された内符号化されたセグメントに対応するヘッダ情報を識別することと、
フレーム内のヘッダ情報と、識別されたヘッダ情報とを置換することと、
置換されたヘッダ情報をもつフレームを使用して、外符号を復号することを再び試みることをさらに含む請求項２７記載の方法。
【請求項２９】
２つ以上の内符号化されたセグメントを復号することをさらに含む請求項２２記載の方法。
【請求項３０】
ヘッダに適用された内符号を復号することをさらに含む請求項２２記載の方法。
【請求項３１】
１つ以上のセグメントの内復号が、誤りなく復号するとき、フレームの残りの再送を要求することをさらに含む請求項２２記載の方法。
【請求項３２】
１つ以上のセグメントの復号が、誤りなく復号するとき、１つ以上の内符号化されたセグメントの受信を示す肯定応答を送信局へ送ることをさらに含む請求項２２記載の方法。
【請求項３３】
１つ以上のセグメントの復号が、誤りなく復号し、フレームの残りが消去可能なデータであるとき、フレーム全体の受信を示す肯定応答を送信局へ送ることをさらに含む請求項２２記載の方法。
【請求項３４】
１つ以上の内符号化されたセグメントの復号が、誤りなく復号するとき、フレームの残りの失敗の受信を示す肯定応答を送信局へ送ることをさらに含む請求項２２記載の方法。
【請求項３５】
１つ以上の内符号化されたセグメントの復号が、１つ以上の誤りと共に復号するとき、フレーム全体の失敗の受信を示す肯定応答を送信局へ送ることをさらに含む請求項２２記載の方法。
【請求項３６】
データフレームで動作可能な装置であって、そのセグメントが１つ以上の優先度レベルを割り当てられていて、
フレーム内のセグメントの１つ以上の優先度レベルにしたがって、フレームタイプを判断するための手段と、
フレームが２つ以上の優先度レベルのセグメントを含むとき、より高い優先度レベルを割り当てられたセグメントに対して内符号化を行うための手段と、
フレームタイプと関係付けられるデータ、内符号化、およびヘッダに対して外符号化を行うための手段と、
ヘッダ、データ、内符号化、および外符号化を含むフレームを形成するための手段とを含む装置。
【請求項３７】
受信フレームのセグメントの内符号を識別するための手段と、
受信フレームの外符号を復号して、フレーム内の１つ以上の誤りを検出するための手段と、
外復号がフレーム内の１つ以上の誤りを検出したとき、フレームのセグメントの内符号を復号するための手段とを含む装置。
【請求項３８】
フレームヘッダにしたがって内符号化されたデータの位置および継続期間を判断するための手段をさらに含む請求項３７記載の装置。
【請求項３９】
フレーム内のセグメントの１つ以上の優先度レベルにしたがって、フレームタイプを判断するための手段と、
フレームが、２つ以上の優先度レベルのセグメントを含むとき、より高い優先度レベルを割り当てられたセグメントに対して内符号化を行うための手段と、
フレームタイプと関係付けられるデータ、内符号化、およびヘッダに対して外符号化を行うための手段と、
ヘッダ、データ、内符号化、および外符号化を含むフレームを形成するための手段とを含む無線通信システム。
【請求項４０】
受信フレームのセグメントの内符号を識別するための手段と、
受信フレームの外符号を復号して、フレーム内の１つ以上の誤りを検出するための手段と、
外復号がフレーム内の１つ以上の誤りを検出したとき、フレームのセグメントの内符号を復号するための手段とを含む無線通信システム。
【請求項４１】
フレーム内のセグメントの１つ以上の優先度レベルにしたがって、フレームタイプを判断し、
フレームが、２つ以上の優先度レベルのセグメントを含むとき、より高い優先度レベルを割り当てられたセグメントに対して内符号化を行い、
フレームタイプと関係付けられるデータ、内符号化、およびヘッダに対して外符号化を行い、
ヘッダ、データ、内符号化、および外符号化を含むフレームを形成するステップを行うように動作可能なプロセッサ読み出し可能媒体。
【請求項４２】
フレームのセグメントの内符号を識別し、
フレームの外符号を復号し、フレーム内の１つ以上の誤りを検出し、
外復号がフレーム内の1つ以上の誤りを検出したとき、フレームのセグメントの内符号を復号するステップを行うように動作可能なプロセッサ読み出し可能媒体。